(57)【要約】      （修正有）【課題】コインケースの下方の収納領域に許可なく進入されるのを防止することが可能な金銭入出金装置を提供する。【解決手段】このキャッシュレジスタは、金銭が収納されるマネーケース５と、マネーケース５の上方から所定位置に取り付けられるコインケース６とを備え、マネーケース５には、ロック部３が形成されており、コインケース６には、ロック部３に係合する第１フック部６８が形成されており、ロック部３が第１フック部６８に係合されることにより、コインケース６がマネーケース５から上方へ取り外されるのが防止される第１係合状態になるように構成されている。【選択図】図６
2015035063.tif 000002
【特許請求の範囲】
【請求項１】
金銭が収納される本体ケースと、
前記本体ケースの上方から所定位置に取り付けられるコインケースとを備え、
前記本体ケースには、取り外しロック部が形成されており、
前記コインケースには、前記取り外しロック部に係合する第１係合部が形成されており、
前記取り外しロック部が前記第１係合部に係合されることにより、前記コインケースが前記本体ケースから上方へ取り外されるのが防止される第１係合状態になるように構成されている、金銭入出金装置。
【請求項２】
前記本体ケースを収納するとともに、第２係合部が形成されたキャビネットと、
前記本体ケースに設けられ、前記第２係合部に係合する第２係合状態になることにより前記キャビネットから前記本体ケースが引き出されるのを防止する引き出しロック部とをさらに備え、
前記引き出しロック部は、引き出しのロックを行う機能に加えて、前記取り外しロック部としても機能するように構成されている、請求項１に記載の金銭入出金装置。
【請求項３】
前記第２係合状態が解除された状態で、かつ、前記第１係合状態が維持された状態で、前記キャビネットから前記本体ケースを引き出すことが可能に構成されている、請求項２に記載の金銭入出金装置。
【請求項４】
前記取り外しロック部としても機能する前記引き出しロック部は、回動させることにより、前記第１係合状態となる前記第１係合部に係合する第１位置と、前記第２係合状態となる前記第２係合部に係合する第２位置とに変更可能に構成されている、請求項２または３に記載の金銭入出金装置。
【請求項５】
前記取り外しロック部としても機能する前記引き出しロック部は、前記第１係合状態となる前記第１位置から第１角度回動されることにより、前記第２係合状態となる前記第２位置に変更可能に構成されるとともに、前記第１位置から第２角度回動されることにより、前記本体ケースの引き出しと、前記コインケースの取り外しとを行うことが可能な非係合状態となる第３位置に変更可能に構成されている、請求項４に記載の金銭入出金装置。
【請求項６】
前記本体ケースには、前記コインケースの一方端部側に前記取り外しロック部が形成されるとともに、前記コインケースの他方端部側の内側面から突出する規制部が形成されており、
前記コインケースは、前記本体ケースに取り付けられた状態で、前記規制部により前記他方端部側における上方への取り外しが規制されている、請求項１〜５のいずれか１項に記載の金銭入出金装置。
【請求項７】
前記コインケースの外側面には、前記規制部の形状に対応するとともに、前記規制部の下方に配置される係止部が形成されている、請求項６に記載の金銭入出金装置。
【請求項８】
前記コインケースは、樹脂材料からなり、
前記第１係合部は、前記樹脂材料よりも機械的強度が高い金属材料からなる部品をインサート成形することにより前記コインケースに形成されている、請求項１〜７のいずれか１項に記載の金銭入出金装置。
【請求項９】
金銭が収納される本体ケースと、
前記本体ケースの上方から所定位置に取り付けられるコインケースとを備え、
前記本体ケースには、取り外しロック部が形成されており、
前記コインケースには、前記取り外しロック部に係合する係合部が形成されており、
前記取り外しロック部が前記係合部に係合されることにより、前記コインケースが前記本体ケースから上方へ取り外されるのが防止される係合状態になるように構成されている、金銭収納装置。
【発明の詳細な説明】
【技術分野】
【０００１】
この発明は、金銭入出金装置および金銭収納装置に関し、特に、着脱可能なコインケースを備える金銭入出金装置および金銭収納装置に関する。
【背景技術】
【０００２】
従来、着脱可能なコインケースを備える金銭入出金装置などが知られている（たとえば、特許文献１参照）。
【０００３】
上記特許文献１には、本体ケース（キャビネット）と、本体ケースから引き出し自在に構成される引出本体と、引出本体に対して、第１収納ケースを介して上方から着脱可能に取り付けられる硬貨収納ケースと、引出本体に設けられ、施錠することにより、本体ケースから引出本体が引き出されるのを防止するシリンダ錠（引き出しロック部）とを備えた金銭収納装置（金銭入出金装置）が開示されている。また、金銭収納装置は、硬貨収納ケースの下方に高額紙幣を収納可能に構成されている。なお、高額紙幣の取り出しは、硬貨収納ケースを取外して行われる。
【先行技術文献】
【特許文献】
【０００４】
【特許文献１】特開２００３−１９６７４０号公報
【発明の概要】
【発明が解決しようとする課題】
【０００５】
しかしながら、上記特許文献１に記載の金銭収納装置では、硬貨収納ケースが引出本体に対して、第１収納ケースを介して着脱可能に構成されているため、本体ケースから引出本体が引き出されている際には、硬貨収納ケースを取り外すことにより、容易に硬貨収納ケースの下方の高額紙幣が収納される領域に進入することが可能になるという問題点がある。このため、許可のない者であっても高額紙幣を容易に取り出すことが可能であり、その結果、高額紙幣が盗難され易い。
【０００６】
この発明は、上記のような課題を解決するためになされたものであり、この発明の１つの目的は、コインケースの下方の収納領域に許可なく進入されるのを防止することが可能な金銭入出金装置および金銭収納装置を提供することである。
【課題を解決するための手段】
【０００７】
この発明の第１の局面による金銭入出金装置は、金銭が収納される本体ケースと、本体ケースの上方から所定位置に取り付けられるコインケースとを備え、本体ケースには、取り外しロック部が形成されており、コインケースには、取り外しロック部に係合する第１係合部が形成されており、取り外しロック部が第１係合部に係合されることにより、コインケースが本体ケースから上方へ取り外されるのが防止される第１係合状態になるように構成されている。
【０００８】
この発明の第１の局面による金銭入出金装置では、上記のように、取り外しロック部を第１係合部に係合させることにより、コインケースが本体ケースから上方へ取り外されるのが防止される第１係合状態になるように構成する。これにより、第１係合状態では、コインケースを本体ケースから取り外すことができなくなるので、コインケースの下方の収納領域に許可なく進入されるのを防止することができる。これにより、コインケースの下方に収納されている高額紙幣などが盗難されるのを防止することができる。また、第１係合状態では、コインケースと本体ケースとが係合することにより一体となるように構成されているので、衝撃などによりコインケースが所定の取り付け位置から外れるのを防止することができる。その結果、使用時において、所定の取り付け位置から外れたコインケースが他の部品と干渉した状態で力が加えられることにより、コインケースなどが破損することを防止することができる。
【０００９】
上記第１の局面による金銭入出金装置において、好ましくは、本体ケースを収納するとともに、第２係合部が形成されたキャビネットと、本体ケースに設けられ、第２係合部に係合する第２係合状態になることによりキャビネットから本体ケースが引き出されるのを防止する引き出しロック部とをさらに備え、引き出しロック部は、引き出しのロックを行う機能に加えて、取り外しロック部としても機能するように構成されている。このように構成すれば、１つの引き出しロック部が、マネーケースの引き出しのロックを行う機能、および、コインケースの取り外しのロックを行う機能の２つの機能を有することができるので、各機能に対して別々のロック部を設ける必要がなく、その結果、部品点数を削減することができる。
【００１０】
この場合、好ましくは、第２係合状態が解除された状態で、かつ、第１係合状態が維持された状態で、キャビネットから本体ケースを引き出すことが可能に構成されている。このように構成すれば、キャビネットから本体ケースを引き出す際だけでなく、引き出した後においても、常に第１係合状態を維持することができるので、高額紙幣などの盗難を確実に防止することができる。
【００１１】
上記キャビネットと引き出しロック部とをさらに備える構成において、好ましくは、取り外しロック部としても機能する引き出しロック部は、回動させることにより、第１係合状態となる第１係合部に係合する第１位置と、第２係合状態となる第２係合部に係合する第２位置とに変更可能に構成されている。このように構成すれば、取り外しロック部の回動操作のみで第１係合状態および第２係合状態に容易に変更させることができる。
【００１２】
上記引き出しロック部を回動させる構成において、好ましくは、取り外しロック部としても機能する引き出しロック部は、第１係合状態となる第１位置から第１角度回動されることにより、第２係合状態となる第２位置に変更可能に構成されるとともに、第１位置から第２角度回動されることにより、本体ケースの引き出しと、コインケースの取り外しとを行うことが可能な非係合状態となる第３位置に変更可能に構成されている。このように構成すれば、取り外しロック部を第３位置にすることにより、本体ケースの引き出しと、コインケースの取り外しとのいずれの操作も行うことができるので、金銭入出金装置の利便性を向上させることができる。また、取り外しロック部の回動操作のみで第１係合状態、第２係合状態および非係合状態に容易に変更させることができる。
【００１３】
上記第１の局面による金銭入出金装置において、好ましくは、本体ケースには、コインケースの一方端部側に取り外しロック部が形成されるとともに、コインケースの他方端部側の内側面から突出する規制部が形成されており、コインケースは、本体ケースに取り付けられた状態で、規制部により他方端部側における上方への取り外しが規制されている。
このように構成すれば、コインケースの一方端部において、取り外しロック部に第１係合部が係合して上方への取り外しが防止されるとともに、コインケースの他方端部側において、規制部により上方への取り外しが規制されるので、コインケースの両端部で上方への取り外しを規制することができ、その結果、コインケースの上方への取り外しをバランスよく規制することができる。また、衝撃などにより、コインケースが上方に移動するのもバランスよく規制することができる。
【００１４】
この場合、好ましくは、コインケースの外側面には、規制部の形状に対応するとともに、規制部の下方に配置される係止部が形成されている。このように構成すれば、係止部が規制部の形状に対応するように形成されるので、コインケースの上方への取り外しおよび移動をより確実に規制することができる。
【００１５】
上記第１の局面による金銭入出金装置において、好ましくは、コインケースは、樹脂材料からなり、第１係合部は、樹脂材料よりも機械的強度が高い金属材料からなる部品をインサート成形することによりコインケースに形成されている。このように構成すれば、第１係合状態でコインケースを強制的に取り外そうとする操作などにより、大きな負荷が加わりやすい第１係合部の強度を高めることができるので、第１係合部が破損するのを抑制することができる。その結果、コインケースの下方の収納領域に許可なく進入されるのをより効果的に防止することができる。
【００１６】
この発明の第２の局面による金銭収納装置は、金銭が収納される本体ケースと、本体ケースの上方から所定位置に取り付けられるコインケースとを備え、本体ケースには、取り外しロック部が形成されており、コインケースには、取り外しロック部に係合する係合部が形成されており、取り外しロック部が係合部に係合されることにより、コインケースが本体ケースから上方へ取り外されるのが防止される係合状態になるように構成されている。
【００１７】
この発明の第２の局面による金銭入出金装置では、上記のように、取り外しロック部を係合部に係合させることにより、コインケースが本体ケースから上方へ取り外されるのが防止される係合状態になるように構成する。これにより、係合状態では、コインケースを本体ケースから取り外すことができなくなるので、コインケースの下方の収納領域に許可なく進入されるのを防止することができる。これにより、コインケースの下方に収納されている高額紙幣などが盗難されるのを防止することができる。また、係合状態では、コインケースと本体ケースとが係合することにより一体となるように構成されているので、衝撃などによりコインケースが所定の取り付け位置から外れるのを防止することができる。その結果、使用時において、所定の取り付け位置から外れたコインケースが他の部品と干渉した状態で力が加えられることにより、コインケースなどが破損することを防止することができる。
【発明の効果】
【００１８】
本発明によれば、上記のように、コインケースの下方の収納領域に許可なく進入されるのを防止することが可能な金銭入出金装置および金銭収納装置を提供することができる。
【図面の簡単な説明】
【００１９】
【図１】本発明の第１実施形態によるキャッシュレジスタの全体構成を示した斜視図である。
【図２】本発明の第１実施形態によるマネーケースを示した斜視図である。
【図３】本発明の第１実施形態によるコインケースの下方の高額紙幣収納領域を示した図である。
【図４】本発明の第１実施形態によるコインケースを示した斜視図である。
【図５】図１の３００−３００線に沿った断面図である。
【図６】本発明の第１実施形態によるロック部が第１位置にある状態（第１係合状態）を示した図である。
【図７】本発明の第１実施形態によるロック部が第２位置にある状態（第２係合状態）を示した図である。
【図８】本発明の第１実施形態によるロック部が第３位置にある状態（非係合状態）を示した図である。
【図９】本発明の第１実施形態によるコインケースをマネーケースに取り付ける方法を説明するための図である。
【図１０】本発明の第２実施形態によるコインケースを示した斜視図である。
【図１１】本発明の第２実施形態によるコインケースおよびマネーケースについて説明するための図である。
【発明を実施するための形態】
【００２０】
以下、本発明を具体化した実施形態を図面に基づいて説明する。
【００２１】
（第１実施形態）
図１〜図９を参照して、本発明の第１実施形態によるキャッシュレジスタ１００の構成について説明する。なお、キャッシュレジスタ１００は、本発明の「金銭入出金装置」および「金銭収納装置」の一例である。
【００２２】
本発明の第１実施形態によるキャッシュレジスタ１００は、図１に示すように、紙幣やコインなどの金銭（商品券などを含む）を収納する箱型に形成されたドロワ部１と、ドロワ部１の上部に設置された金銭処理部２とから構成されている。また、キャッシュレジスタ１００は、所定位置に主に高額な紙幣を収納するための高額紙幣収納領域Ｂ（図３参照）を有している。また、キャッシュレジスタ１００は、通常の使用時において、高額紙幣収納領域Ｂの紙幣が直接視認されないようにするとともに、ロック部３により紙幣を取り出すことが防止されるように構成されている。詳細については後述する。なお、ロック部３は、本発明の「取り外しロック部」および「引き出しロック部」の一例である。
【００２３】
ドロワ部１は、図１に示すように、１つの側面（Ｙ２方向の側面）が開放されている箱型のキャビネット４と、キャビネット４の開放部４ａからスライドにより引出可能に収納されるとともに、上面が開放されている箱型のマネーケース５とを含んでいる。また、金銭処理部２は、複数のボタンからなる入力部２ａを含み、ユーザが入力部２ａを操作することにより、商品の金額の計算処理などを行えるように構成されている。なお、マネーケース５は、本発明の「本体ケース」の一例である。
【００２４】
まず、図１〜図３を参照して、マネーケース５の構成について説明する。
【００２５】
マネーケース５は、図１および図２に示すように、底板部５０と、底板部５０の引出し方向（Ｙ２方向）側端部から上方に延びる前板部５１と、底板部５０の幅方向（Ｘ方向）の両端部から上方に延びるとともに、マネーケース５をスライドにより引き出すための機構が設けられた２つの側板部５２ａおよび５２ｂと、底板部５０の収納方向（Ｙ１方向）側端部から上方に延びる背板部５３とを有している。また、マネーケース５には、内部の中心部付近に、幅方向および垂直方向（Ｚ方向）に延びる仕切部５４が設けられている。この仕切部５４により、マネーケース５は、引出し方向側（Ｙ２方向側）のコインを収納するコイン収納領域と、収納方向側（Ｙ１方向側）の紙幣を収納する紙幣収納領域との２領域に内部空間を区分するように構成されている。
【００２６】
マネーケース５のコイン収納領域は、図１および図２に示す（図１および図２では、それぞれコインケース６（図４参照）が取付けられた状態およびコインケース６が取外された状態を示す）ように、コインが直接収納されるコインケース６が上方（Ｚ１方向側）から脱着自在に取り付けられるように構成されている。また、コインケース６は、マネーケース５の幅方向に直交する方向に延びる仕切板６０が取り付けられている。コインケース６は、この仕切板６０により、内部空間を幅方向に並ぶ複数の領域に区分するように構成されている。また、仕切板６０は、取付け位置を幅方向（Ｘ方向）に変更可能に構成されている。
【００２７】
また、図３に示すように、取付けられたコインケース６の下方（Ｚ２方向側）には、高額紙幣収納領域Ｂが形成されている。また、図２に示すように、前板部５１は、幅方向（Ｘ方向）に延びるとともに、厚み方向（Ｙ方向）に貫通する長円状の貫通孔５５を有している。また、貫通孔５５は、高額紙幣収納領域Ｂに通ずるように構成されている。したがって、マネーケース５は、この貫通孔５５に紙幣を通すことにより、高額紙幣収納領域Ｂに紙幣を収納可能に構成されている。なお、貫通孔５５は、収納した紙幣を取り出すことができない大きさに構成されている。
【００２８】
マネーケース５の紙幣収納領域は、上記コインケース６のような部品が取り付けられることはなく、図１または図２に示すように、マネーケース５の幅方向に直交する方向に延びる２つの仕切板５６がマネーケース５に対して、直接取り付けられるように構成されている。この仕切板５６により、紙幣収納領域は、幅方向に並ぶ複数の領域に内部空間を区分するように構成されている。また、マネーケース５は、区分された各領域のそれぞれに、マネーケース５に取付けられるレバー支持部材７を介して、レバー部材８が配置されるように構成されている。
【００２９】
このレバー部材８は、レバー支持部材７への取り付け位置を中心として回動可能に構成されている。また、レバー部材８は、コイルばね８ａにより、底板部５０に向けて付勢されることにより、底板部５０上に配置された紙幣を安定した状態で押えるように構成されている。
【００３０】
次に、図３および図４を参照して、コインケース６の構成について説明する。
【００３１】
コインケース６は、図４に示すように、平面視において、矩形状の開放部６１を有するとともに、幅方向（Ｘ方向）に延びる箱型に形成されている。詳細には、幅方向に延びる傾斜板部６２と、傾斜板部６２の幅方向の両端部に配置される２つの側板部６３ａおよび６３ｂと、傾斜板部６２および２つの側板部６３ａおよび６３ｂの端部を接続する矩形状の背板部６４とから構成されている。
【００３２】
また、コインケース６の傾斜板部６２には、幅方向の両端部近傍から下方に延びる平板状の一対の支持部６５が形成されている。この一対の支持部６５により、図３に示すように、キャッシュレジスタ１００は、コインケース６の傾斜板部６２とマネーケース５の底板部５０との間に幅方向に延びる空間が形成されるように構成されている。なお、この空間は、上記高額紙幣収納領域Ｂとして使用される。
【００３３】
また、コインケース６は、図４に示すように、Ｘ２方向側の側板部６３ａを除く側板部６３ｂ、傾斜板部６２および背板部６４の上端部が下方を向くように外側に曲げられることにより、爪部６６が形成されている。また、図３に示すように、マネーケース５のコイン収納領域を構成する前板部５１（図１参照）、Ｘ１方向側の側板部５２ｂおよび仕切部５４の上端部のコインケース６が取り付けられる側には、爪部６６の形状に対応する角状に凹んだ段差部５７が形成されている。コインケース６は、この段差部５７に爪部６６を上方から載せることにより、マネーケース５の所定の取り付け位置に安定した状態で配置されるように構成されている。
【００３４】
また、コインケース６のＸ２方向側の側板部６３ａには、上端部にＹ方向に延びる角状の係止用段差部６７が形成されている。また、マネーケース５のコイン収納領域を構成するＸ２方向側の側板部５２ａには、係止用段差部６７の形状に対応する規制用凸部５８が上端部からＸ１方向に突出するように形成されている。また、コインケース６は、マネーケース５に取り付けられた状態で、コインケース６の係止用段差部６７がマネーケース５の規制用凸部５８の下方に配置されるように構成されている。これにより、コインケース６は、Ｘ２方向側において、上方への移動が規制されるように構成されている。取付け詳細については後述する。なお、係止用段差部６７および規制用凸部５８は、それぞれ本発明の「係止部」および「規制部」の一例である。
【００３５】
次に、図１、図５〜図７を参照して、ロック部３の構成について説明する。
【００３６】
ここで、第１実施形態では、マネーケース５は、図１に示すように、前板部５１のＸ１方向側にロック部３が形成されている。このロック部３により、キャッシュレジスタ１００は、コインケース６がマネーケース５から上方へ取り外されるのを防止する第１係合状態と、キャビネット４からマネーケース５が引き出されるのを防止する第２係合状態と、コインケース６およびキャビネット４のいずれもマネーケース５に係合しない非係合状態とのいずれかの状態になるように構成されている。具体的には、コインケース６は、図５および図６に示すように、マネーケース５に収納された状態において、ロック部３から上方に所定距離隔てた位置に配置される第１フック部６８を有している。ロック部３は、この第１フック部６８に係合することにより、コインケース６がマネーケース５から上方へ取り外されるのを防止するように構成されている。したがって、コインケース６は、Ｘ１方向側のロック部３の構成と、上記Ｘ２方向側の係止用段差部６７および規制用凸部５８の構成とにより、上方への移動がバランスよく規制されるように構成されている。すなわち、コインケース６は、長手方向（Ｘ方向）の両端部近傍で上方への移動がバランスよく規制される第１係合状態となるように構成されている。なお、コインケースの本体部分（第１フック部６８を除く部分）は、樹脂材料から形成され、コインケースの第１フック部は、上記樹脂材料よりも機械的強度が高い金属材料からなる部品をインサート成形することにより形成されている。また、第１フック部６８は、本発明の「第１係合部」の一例である。
【００３７】
また、キャビネット４は、マネーケース５が収納された状態において、ロック部３から下方に所定距離隔てた位置に配置される第２フック部４０を有している。ロック部３は、この第２フック部４０に係合することにより、キャビネット４からマネーケース５が引き出されるのを防止する第２係合状態となるように構成されている。なお、ロック部３および第２フック部４０の間に配置されたマネーケース５の底板部５０には、ロック部３の回動を妨げないようにするため、ロック部３の下方近傍に開放部Ｃが形成されている。一方、第２係合状態が解除された状態では、第１係合状態が維持された状態、または、非係合状態で、キャビネット４からマネーケース５を引き出すことが可能に構成されている。また、第２フック部４０は、本発明の「第２係合部」の一例である。
【００３８】
また、ロック部３は、図６および図７に示すように、Ｙ２方向側から挿入する鍵３０（図１参照）を回動させることより、鍵３０と一体的に回動する軸部３１と、軸部３１と一体的に回動するとともに、先端部がＴ字状に形成された平板状のロック部材３２とを備えている。また、ロック部材３２は、第１係合状態（図６参照）において、Ｔ字状の一方端部３２ａが第１フック部６８に係合するとともに、第２係合状態（図７参照）において、Ｔ字状の他方端部３２ｂが第２フック部４０に係合するように構成されている。また、ロック部３（軸部３１およびロック部材３２）は、前板部５１に直交する軸Ａ（図１参照）を回動中心として回動するように構成されている。また、平板状のロック部材３２は、前板部５１と平行に配置されており、前板部５１との平行を保ちながら回動するように構成されている。
【００３９】
次に、図５〜図８を参照して、ロック部３と第１フック部６８および第２フック部４０の係合状態について説明する。
【００４０】
ロック部３は、図５および図６に示すロック部材３２が上方に配置される第１位置（第１フック部６８とロック部材３２の一方端部３２ａとが係合する位置、第１係合状態）から、図７に示すロック部材３２が下方に配置される第２位置（第２フック部４０とロック部材３２の他方端部３２ｂとが係合する位置、第２係合状態）に移動するために、第１位置から反時計回り方向に１８０度回動可能に構成されている。なお、第１位置から軸Ａを回動中心として反時計回り方向に１８０度は、本発明の「第１角度」の一例である。
【００４１】
また、ロック部３は、図５および図６に示す第１位置から軸Ａを回動中心として反時計回り方向に９０度回動させることにより、図８に示す第３位置に配置されるとともに、第３位置で保持されるように構成されている。ロック部３は、この第３位置において、第１フック部６８および第２フック部４０のいずれにも係合しない非係合状態に保持されるように構成されている。したがって、ロック部３が第３位置にある場合には、キャッシュレジスタ１００は、マネーケース５からコインケース６の取り外しが可能であるとともに、キャビネット４からマネーケース５の引き出しが可能に構成されている。なお、第１位置から反時計回り方向に９０度は、本発明の「第２角度」の一例である。
【００４２】
次に、図３および図９を参照して、コインケース６のマネーケース５への取り付け方法について説明する。
【００４３】
図３に示すように、コインケース６は、マネーケース５に取り付けられた状態で、係止用段差部６７がマネーケース５の規制用凸部５８の下方に配置されるように構成されている。したがって、コインケース６を水平状態に保ちながらマネーケース５に上方から取り付けることは不可能である。そこで、図９に示すように、コインケース６のＸ２方向側がＸ１方向側よりも低くなるように、コインケース６を傾ける。そして、マネーケース５の上方から、コインケース６の係止用段差部６７をマネーケース５の規制用凸部５８の下方に導入することにより、コインケース６のＸ２方向側をマネーケース５内に収納する。さらに、係止用段差部６７付近を中心としてコインケース６を回動させることにより、コインケース６のＸ１方向側をマネーケース５内に収納する。以上でコインケース６のマネーケース５への取り付けが完了する。なお、コインケース６のマネーケース５からの取り外しは、上記取り付け手順と逆の手順により行われる。
【００４４】
上記第1実施形態では、以下のような効果を得ることができる。
【００４５】
第１実施形態では、上記のように、ロック部３を第１フック部６８に係合させることにより、コインケース６がマネーケース５から上方へ取り外されるのが防止される第１係合状態になるように構成する。これにより、第１係合状態では、コインケース６をマネーケース５から取り外すことができなくなるので、コインケース６の下方の高額紙幣収納領域Ｂに許可なく進入されるのを防止することができる。これにより、コインケース６の下方に収納されている高額紙幣などが盗難されるのを防止することができる。また、第１係合状態では、コインケース６とマネーケース５とが係合することにより一体となるように構成されているので、衝撃などによりコインケース６が所定の取り付け位置から外れるのを防止することができる。その結果、使用時において、所定の取り付け位置から外れたコインケース６が他の部品と干渉した状態で力が加えられることにより、コインケース６などが破損することを防止することができる。
【００４６】
また、第１実施形態では、上記のように、マネーケース５を収納するとともに、第２フック部４０が形成されたキャビネット４と、マネーケース５に設けられ、第２フック部４０に係合する第２係合状態になることにより、キャビネット４からマネーケース５が引き出されるのを防止するロック部３とを設け、ロック部３を、引き出しのロックを行う機能に加えて、取り外しをロックする機能を有するように構成する。これにより、１つのロック部３が、マネーケース５の引き出しのロックを行う機能、および、コインケース６の取り外しのロックを行う機能の２つの機能を有することができるので、各機能に対して別々のロック部３を設ける必要がなく、その結果、部品点数を削減することができる。
【００４７】
また、第１実施形態では、上記のように、第２係合状態が解除された状態で、かつ、第１係合状態が維持された状態で、キャビネット４からマネーケース５を引き出すことが可能に構成されている。これにより、キャビネットから本体ケースを引き出す際だけでなく、引き出した後においても、常に第１係合状態を維持することができるので、高額紙幣などの盗難を確実に防止することができる。
【００４８】
また、第１実施形態では、上記のように、ロック部３を、回動させることにより、第１係合状態となる第１フック部６８に係合する第１位置と、第２係合状態となる第２フック部４０に係合する第２位置とを変更可能に構成する。これにより、ロック部３の回動操作のみで第１係合状態および第２係合状態を容易に変更させることができる。
【００４９】
また、第１実施形態では、上記のように、ロック部３を、第１係合状態となる第１位置から反時計回り方向に１８０度回動されることにより、第２係合状態となる第２位置に変更可能に構成するとともに、第１位置から反時計回り方向に９０度回動されることにより、マネーケース５の引き出しと、コインケース６の取り外しとを行うことが可能な非係合状態となる第３位置に変更可能に構成する。これにより、ロック部３を第３位置にすることによって、マネーケース５の引き出しと、コインケース６の取り外しとのいずれの操作も行うことができるので、キャッシュレジスタ１００の利便性を向上させることができる。また、ロック部３の回動操作のみで第１係合状態、第２係合状態および非係合状態に容易に変更させることができる。
【００５０】
また、第１実施形態では、上記のように、マネーケース５を、コインケース６の一方端部側に引き出しロック部３を形成するとともに、コインケース６の他方端部側の内側面から突出する規制用凸部５８を形成し、コインケース６がマネーケース５に取り付けられた状態で、規制用凸部５８により他方端部側における上方へのコインケース６の取り外しを規制する。これにより、コインケース６の一方端部において、ロック部３に第１フック部６８が係合して上方への取り外しが防止されるとともに、コインケース６の他方端部において、規制用凸部５８により上方への取り外しが規制されるので、コインケース６の両端部で上方への取り外しを規制することができ、その結果、コインケース６の上方への取り外しをバランスよく規制することができる。また、衝撃などにより、コインケース６が上方に移動するのもバランスよく規制することができる。
【００５１】
また、第１実施形態では、上記のように、コインケース６の外側面に、規制用凸部５８の形状に対応するとともに、規制用凸部５８の下方に配置される係止用段差部６７を形成する。これにより、係止用段差部６７が規制用凸部５８の形状に対応するように形成されるので、コインケース６の上方への取り外しおよび移動をより確実に規制することができる。
【００５２】
また、第１実施形態では、上記のように、コインケース６を、樹脂材料から形成し、第１フック部６８を、樹脂材料よりも機械的強度が高い金属材料からなる部品をインサート成形することによりコインケース６に形成する。これにより、第１係合状態でコインケース６を強制的に取り外そうとする操作などにより、大きな負荷が加わりやすい第１フック部６８の強度を高めることができるので、第１フック部６８が破損するのを抑制することができる。その結果、コインケース６の下方の収納領域に許可なく進入されるのをより効果的に防止することができる。
【００５３】
（第２実施形態）
次に、図１０および図１１を参照して、本発明の第２実施形態について説明する。この第２実施形態では、Ｘ２方向側のコインケース６の側板部６３ａおよびマネーケース５の側板部５２ａの上端部に、それぞれ係止用段差部６７および規制用凸部５８が形成される上記第１実施形態とは異なり、Ｘ２方向側のコインケース２０６の側板部２６３ａおよびマネーケース２０５の側板部２５２ａの上端部よりもＺ２方向に下がった位置に、それぞれ係止用凸部２６７および規制用凸部２５８が形成される例について説明する。なお、係止用凸部２６７および規制用凸部２５８は、それぞれ本発明の「係止部」および「規制部」の一例である。
【００５４】
図１０および図１１を参照して、コインケース２０６およびマネーケース２０５の構成について説明する。
【００５５】
コインケース２０６には、図１０に示すように、上端部が下方を向くように外側に曲げられることにより、端部の全域に爪部２６６が形成されている。また、図１１に示すように、マネーケース２０５のコイン収納領域を構成する前板部５１と、２つの側板部２５２ａおよび５２ｂと、仕切部５４との上端部のコインケース２０６が取り付けられる側には、爪部２６６の形状に対応する角状に凹んだ段差部２５７が形成されている。コインケース２０６は、この段差部２５７に爪部２６６を載置することにより、マネーケース２０５の所定の取り付け位置に安定した状態で配置されるように構成されている。
【００５６】
また、コインケース２０６のＸ２方向側の側板部２６３ａには、断面三角形状の係止用凸部２６７がＸ２方向に突出するように形成されている。また、マネーケース２０５のコイン収納領域を構成するＸ２方向側の側板部２５２ａには、係止用凸部２６７の形状に対応する断面三角形状の規制用凸部２５８がＸ１方向側に突出するように形成されている。この規制用凸部２５８が、対応する係合用凸部２６７にガイドされることによってコインケース２０６がマネーケースに取り付けられるように構成されている。また、コインケース２０６の係止用凸部２６７は、マネーケース２０５に取り付けられた状態で、コインケース２０６の係止用凸部２６７がマネーケース２０５の規制用凸部２５８の下方に配置されるように構成されている。また、コインケース２０６の係止用凸部２６７およびマネーケース２０５の規制用凸部２５８は、それぞれコインケース２０６およびマネーケース２０５のＺ１方向の高さの略半分の高さ位置に形成されている。
【００５７】
なお、第２実施形態のその他の構成は、上記第１実施形態と同様である。
【００５８】
上記第２実施形態では、以下のような効果を得ることができる。
【００５９】
第１実施形態では、上記のように、規制用凸部２５８が、対応する係合用凸部２６７にガイドされることによってコインケース２０６がマネーケースに取り付けられるように構成されることによって、正しい取り付け位置にコインケース２０６を容易に取り付けることができる。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記第１および第２実施形態では、ロック部を第１位置から反時計回り方向に１８０度回動させることにより第２位置に変更可能に構成するとともに、ロック部を第１位置から反時計回り方向に９０度回動させることにより第３位置に変更可能に構成する例を示したが、本発明はこれに限られない。本発明では、たとえば、ロック部を第１位置から反計回り方向に９０度回動させることにより第２位置に変更可能に構成するとともに、ロック部を第１位置から時計回り方向に９０度回動させることにより第３位置に変更可能に構成してもよい。
【００６２】
また、上記第１および第２実施形態では、１つのロック部がマネーケースの引き出しのロックを行う機能とコインケースの取り外しのロックを行う機能とを有するように構成する例を示したが、本発明はこれに限られない。本発明では、たとえば、引き出しのロックを行う機能を有するロック部と、コインケースの取り外しのロックを行う機能を有するロック部とを別々に設けてもよい。
【００６３】
また、上記第１および第２実施形態では、ロック部を回動させることにより第１位置から第２位置および第３位置に移動可能に構成する例を示したが、本発明はこれに限られない。本発明では、たとえば、ロック部をスライドさせることにより第１位置から第２位置および第３位置に移動可能に構成してもよい。
【００６４】
また、上記第１実施形態では、マネーケースおよびコインケースが、それぞれ規制用凸部および係止用段差部を有する例を示したが、本発明はこれに限られない。本発明では、たとえば、規制用凸部および係止用段差部がなくてもよい。この場合には、ロック部は、コインケース移動をバランスよく規制するために、コインケースの幅方向の真ん中付近に設けるのが好ましい。また、第２実施形態についても、同様に、規制用凸部および係止用凸部がなくてもよい。
【００６５】
また、上記第１および第２実施形態では、コインケースの幅方向の両端部でコインケースの移動を規制するように構成する例を示したが、本発明はこれに限られない。本発明では、たとえば、コインケースの幅方向に直交する前後方向の端部でコインケースの移動を規制するように構成してもよい。
【００６６】
また、上記第１および第２実施形態では、コインケースの本体部分（第１フック部を除く部分）を樹脂材料で形成し、第１フック部を金属材料から形成する例を示したが、本発明はこれに限られない。本発明では、たとえば、第１フック部をコインケースの本体部分よりも機械的強度の高い樹脂材料で構成してもよい。
【符号の説明】
【００６７】
３  ロック部（取り外しロック部、引き出しロック部）
４  キャビネット
５  マネーケース（本体ケース）
６  コインケース
４０  第２フック部（第２係合部）
５８、２５８  規制用凸部（規制部）
６７  係止用段差部（係止部）
６８  第１フック部（第１係合部）
１００  キャッシュレジスタ（金銭入出金装置、金銭収納装置）
２６７  係止用凸部（係止部）
【図１】
2015035063.tif 000003
【図２】
2015035063.tif 000004
【図３】
2015035063.tif 000005
【図４】
2015035063.tif 000006
【図５】
2015035063.tif 000007
【図６】
2015035063.tif 000008
【図７】
2015035063.tif 000009
【図８】
2015035063.tif 000010
【図９】
2015035063.tif 000011
【図１０】
2015035063.tif 000012
【図１１】
2015035063.tif 000013